(57)【要約】【課題】所定のインターフェースで接続されている複数の映像信号機器の動作状態を調べ、ユーザが行いたい動作を予測して実行に移すことで、ユーザの操作の手順を簡素にし、使い勝手を良好にする。【解決手段】制御手段を有した本体部と所定のインターフェースで接続されている複数の映像機器の中から記録動作をしている機器を調べる手段と、所定のインターフェースで接続されている複数の映像機器の中から記録しながら録再生が可能な機器を調べる手段と、所定のインターフェースで接続されている複数の映像機器の中で、記録動作中で且つ記録しながら再生が可能な機器を制御対象とし、その制御対象の記録動作中の機器に再生動作を決定する手段と、操作手段を操作することによって、制御対象とする記録動作中の機器に、前記決定した再生動作を実行させる手段と、を有する。【選択図】  図１
2005223532.tif 000002
【特許請求の範囲】
【請求項１】
テレビジョン放送信号を受信するチューナと、受信した放送信号から映像信号を復調する復調手段と、外部の映像機器に対して映像信号の入出力及び制御を行う制御手段とを有した放送受信機と、
この放送受像機に所定のインターフェースで接続される映像機器と、
前記放送受像機に接続され、前記復調された映像信号及び前記映像機器の動作を選択操作するためのユーザインターフェースを表示可能な表示手段と、を具備し、
前記放送受像機の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、
を有したことを特徴とする映像信号記録再生システム。
【請求項２】
外部の映像機器に対して映像信号の入出力及び制御を行う制御手段を有した本体部と所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、
を具備したことを特徴とする映像信号記録再生装置。
【請求項３】
外部の映像機器に対して映像信号の入出力及び制御を行う制御手段を有した本体部と所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記の決定した再生動作を、この再生動作を含む複数種類の動作形態の中から選択可能に表現するユーザインターフェースを前記本体部に接続された表示手段上に表示させる手段と、
前記ユーザインターフェース上に表現された動作形態を選択操作することによって、前記制御対象とする記録動作中の機器に、前記の決定した再生動作を実行させる手段と、
を具備したことを特徴とする映像信号記録再生装置。
【請求項４】
外部の映像機器に対して映像信号の入出力及び制御を行う制御手段を有した本体部と所定のインターフェースで接続されている映複数の像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された表示手段上に表示させる手段と、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させる手段と、
前記第２のユーザインターフェース上に表現された動作形態を選択操作することによって、前記制御対象とする記録動作中の機器に、前記の決定した再生動作を実行させる手段と、
を具備したことを特徴とする映像信号記録再生装置。
【請求項５】
外部の映像機器に対して映像信号の入出力及び制御を行う制御手段を有した本体部と所定のインターフェースで接続されている複数の映像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作することによって、前記制御対象とする記録動作中の機器に、前記の決定した再生動作を実行させるステップと、
を具備したことを特徴とする映像信号記録再生方法。
【請求項６】
外部の映像機器に対して映像信号の入出力及び制御を行う制御手段を有した本体部と所定のインターフェースで接続されている複数の映像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作したとき、前記の決定した再生動作を、この再生動作を含む複数種類の動作形態の中から選択可能に表現するユーザインターフェースを前記本体部に接続された表示手段上に表示させるステップと、
前記ユーザインターフェース上に表現された動作形態を選択操作することによって、前記制御対象とする記録動作中の機器に、前記の決定した再生動作を実行させるステップと、
を具備したことを特徴とする映像信号記録再生方法。
【請求項７】
外部の映像機器に対して映像信号の入出力及び制御を行う制御手段を有した本体部と所定のインターフェースで接続されている映複数の像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された表示手段上に表示させるステップと、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させるステップと、
前記第２のユーザインターフェース上に表現された動作形態を選択操作することによって、前記制御対象とする記録動作中の機器に、前記の決定した再生動作を実行させるステップと、
を具備したことを特徴とする映像信号記録再生方法。
【請求項８】
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、
を有したことを特徴とする映像信号記録再生システム。
【請求項９】
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記の決定した再生動作を、この再生動作を含む複数種類の動作形態の中から選択可能に表現するユーザインターフェースを前記本体部に接続された表示手段上に表示させる手段と、
前記ユーザインターフェース上に表現された動作形態を選択操作することによって、前記制御対象とする記録動作中の機器に、前記の決定した再生動作を実行させる手段と、
を有したことを特徴とする映像信号記録再生システム。
【請求項１０】
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された前記表示手段上に表示させる手段と、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させる手段と、
前記第２のユーザインターフェース上に表現された動作形態を選択操作することによって、前記制御対象とする記録動作中の機器に、前記の決定した再生動作を実行させる手段と、
を有したことを特徴とする映像信号記録再生システム。
【発明の詳細な説明】
【技術分野】
【０００１】
本発明は、デジタル映像信号を高速アクセス動作が可能な記録媒体に記録及び再生を行う映像信号記録再生装置、映像信号記録再生方法及び映像信号記録再生システムに係り、特にＩＥＥＥ１３９４などのインターフェースに接続され、ハードディスクレコーダなどに対し記録動作を実行しながら記録済みのデータを再生する機能を有する映像信号記録再生装置、映像信号記録再生方法及び映像信号記録再生システムに関する。
【背景技術】
【０００２】
従来では、信号源から供給される映像信号、或いは受信されるテレビジョン放送信号の記録はＶＴＲによりビデオテープを記録媒体として行なわれていたが、近年になりランダムアクセス性能の優れるハードディスクを用いるハードディスクレコーダも実用化されている。さらに、ハードディスクのほかにＤＶＤを記録媒体として記録再生を行うハードディスク内蔵のＤＶＤレコーダも実用化されている。
【０００３】
これらのハードディスクを記録媒体とするハードディスク装置（以下、ＨＤＤ）は、ランダムアクセス可能な記録媒体を用いて映像信号の記録、及び再生を行なう装置であり、記録媒体へのアクセス時間が短いためデジタル映像信号の記録及びその記録した映像信号の再生を同時に行うことが出来る機能を備えている。
【０００４】
例えば、このような同時記録再生機能を有する映像信号記録再生装置では、記録を行いながら、過去に記録を開始した映像信号を、現在記録中の映像信号に追いつくようにして再生を行なう追っかけ再生機能などを備えている。
【０００５】
従来、このような映像信号記録再生装置としては、例えば特許文献１に記載されているものがある。特許文献１には、記録開始が指示されると、記録処理が行われ、その後に、再生開始が指示されると、再生処理が行われる。その際、ＨＤＤに対しては、バッファメモリからの書込処理、およびもう１つのバッファメモリに転送するための読出処理の両方が行われる。そして、この２つの処理の調停は、ＨＤＤコントローラモジュールによって行われる。
【特許文献１】特開２００１−１６７５２１号公報
【発明の開示】
【発明が解決しようとする課題】
【０００６】
ところで、このような従来の映像信号記録再生装置では、ユーザが所定のインターフェースで接続されているＨＤＤなどの複数の映像機器を操作する場合、リモコンのボタン操作で、コントロールパネル表示をグラフィカルユーザインターフェースとしてモニタ上に呼び出す必要があった。例えば、コントロールパネル表示は、制御機器選択画面と動作内容選択画面の2段階になっており、制御機器選択画面で操作対象となる機器を選択し決定した後に、動作内容選択画面に移行し、動作内容を選択し決定していた。（なお、ここで制御機器とは制御対象とする機器をいう。）このとき、制御機器選択画面から動作内容選択画面に移行したときのカーソルの初期位置は固定の位置例えば電源ボタンの位置に決められていた。よって、追っかけ再生などの動作を行う場合においては、前記カーソルの初期位置から追っかけ再生起動に必要な所望のボタンまでカーソルを移動させる必要があり、ユーザの操作に手間がかかるものとなっていた。
【０００７】
一方、特許文献１については、所定のインターフェースに複数接続されている映像機器について、その内の少なくとも１つの機器に対して追っかけ再生を設定するまでの手順については何ら記載されていない。
【０００８】
そこで、本発明は、上記の問題に鑑み、所定のインターフェースで接続されている複数の映像機器の動作状態を調べ、ユーザが行いたい動作を予測して実行に移すことで、ユーザの操作の手順を簡素にし、使い勝手を良好にすることができる映像信号記録再生装置、映像信号記録再生方法及び映像信号記録再生システムを提供することを目的とするものである。
【課題を解決するための手段】
【０００９】
本発明による第１の映像信号記録再生システムは、
テレビジョン放送信号を受信するチューナと、受信した放送信号から映像信号を復調する復調手段と、外部の映像機器に対して映像信号の入出力及び制御を行う制御手段とを有した放送受信機と、
この放送受像機に所定のインターフェースで接続される映像機器と、
前記放送受像機に接続され、前記復調された映像信号及び前記映像機器の動作を選択操作するためのユーザインターフェースを表示可能な表示手段と、を具備し、
前記放送受像機の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、を有したことを特徴とする。
【００１０】
本発明による第１の映像信号記録再生装置は、
外部の映像機器に対して映像信号の入出力及び制御を行う制御手段を有した本体部と所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、を具備したことを特徴とする。
【００１１】
本発明による第２の映像信号記録再生装置は、
外部の映像機器に対して映像信号の入出力及び制御を行う制御手段を有した本体部と所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記の決定した再生動作を、この再生動作を含む複数種類の動作形態の中から選択可能に表現するユーザインターフェースを前記本体部に接続された表示手段上に表示させる手段と、
前記ユーザインターフェース上に表現された動作形態を選択操作することによって、前記制御対象とする記録動作中の機器に、前記の決定した再生動作を実行させる手段と、を具備したことを特徴とする。
【００１２】
本発明による第３の映像信号記録再生装置は、
外部の映像機器に対して映像信号の入出力及び制御を行う制御手段を有した本体部と所定のインターフェースで接続されている映複数の像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された表示手段上に表示させる手段と、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させる手段と、
前記第２のユーザインターフェース上に表現された動作形態を選択操作することによって、前記制御対象とする記録動作中の機器に、前記の決定した再生動作を実行させる手段と、を具備したことを特徴とする。
【００１３】
本発明による第１の映像信号記録再生方法は、
外部の映像機器に対して映像信号の入出力及び制御を行う制御手段を有した本体部と所定のインターフェースで接続されている複数の映像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作することによって、前記制御対象とする記録動作中の機器に、前記の決定した再生動作を実行させるステップと、を具備したことを特徴とする。
【００１４】
本発明による第２の映像信号記録再生方法は、
外部の映像機器に対して映像信号の入出力及び制御を行う制御手段を有した本体部と所定のインターフェースで接続されている複数の映像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作したとき、前記の決定した再生動作を、この再生動作を含む複数種類の動作形態の中から選択可能に表現するユーザインターフェースを前記本体部に接続された表示手段上に表示させるステップと、
前記ユーザインターフェース上に表現された動作形態を選択操作することによって、前記制御対象とする記録動作中の機器に、前記の決定した再生動作を実行させるステップと、を具備したことを特徴とする。
【００１５】
本発明による第３の映像信号記録再生方法は、
外部の映像機器に対して映像信号の入出力及び制御を行う制御手段を有した本体部と所定のインターフェースで接続されている映複数の像機器の中から記録動作をしている機器を調べるステップと、
前記所定のインターフェースで接続されている複数の映像機器の中から記録しながら再生が可能な機器を調べるステップと、
前記所定のインターフェースで接続されている複数の映像機器の中で、記録動作中で且つ記録しながら再生が可能な機器を制御対象とし、その制御対象の記録動作中の機器に再生動作を決定するステップと、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された表示手段上に表示させるステップと、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させるステップと、
前記第２のユーザインターフェース上に表現された動作形態を選択操作することによって、前記制御対象とする記録動作中の機器に、前記の決定した再生動作を実行させるステップと、を具備したことを特徴とする。
【００１６】
本発明による第２の映像信号記録再生システムは、
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作することによって、前記制御対象とする記録動作中の機器に、前記の決定した再生動作を実行させる手段と、を有したことを特徴とする。
【００１７】
本発明による第３の映像信号記録再生システムは、
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記の決定した再生動作を、この再生動作を含む複数種類の動作形態の中から選択可能に表現するユーザインターフェースを前記本体部に接続された表示手段上に表示させる手段と、
前記ユーザインターフェース上に表現された動作形態を選択操作することによって、前記制御対象とする記録動作中の機器に、前記の決定した再生動作を実行させる手段と、を有したことを特徴とする。
【００１８】
本発明による第４の映像信号記録再生システムは、
入力される映像信号を復調する復調手段と、外部の映像機器に対して映像信号の入出力及び制御を行う制御手段とを有した本体部と、
この本体部に所定のインターフェースで接続される少なくとも１つの映像機器と、
前記本体部に接続され、映像信号を表示可能な表示手段と、を具備し、
前記本体部の制御手段は、
前記所定のインターフェースで接続されている複数の映像機器の中から記録動作をしている機器を調べる手段と、
前記所定のインターフェースで接続されている複数の映像機器の中から記録しながら再生が可能な機器を調べる手段と、
前記所定のインターフェースで接続されている複数の映像機器の中で、記録動作中で且つ記録しながら再生が可能な機器を制御対象とし、その制御対象の記録動作中の機器に再生動作を決定する手段と、
操作手段を操作したとき、前記所定のインターフェースで接続されている映像機器の一覧を示し、その一覧の中から記録しながら再生が可能で且つ記録動作中の機器を選択可能とする第１のユーザインターフェースを前記本体部に接続された前記表示手段上に表示させる手段と、
前記第１のユーザインターフェースで記録しながら再生が可能で且つ記録動作中の機器を選択したとき、前記の決定した再生動作を、この再生動作を含む複数種類の動作形態の中から選択可能に表現する第２のユーザインターフェースを前記表示手段上に表示させる手段と、
前記第２のユーザインターフェース上に表現された動作形態を選択操作することによって、前記制御対象とする記録動作中の機器に、前記の決定した再生動作を実行させる手段と、を有したことを特徴とする。
【発明の効果】
【００１９】
本発明によれば、所定のインターフェースで接続されている複数の映像信号機器の動作状態を調べ、ユーザが行いたい動作を予測して実行に移すことで、ユーザの操作の手順を簡素にし、使い勝手をよくすることができる。
【発明を実施するための最良の形態】
【００２０】
発明の実施の形態について図面を参照して説明する。 
【実施例１】
【００２１】
図１は本発明の実施例１の映像信号記録再生システムの構成のブロック図を示している。 
図１において、セットトップボックス（以下、ＳＴＢ：Set Top Boxの略 ）１０は、例えば放送受信機で構成され、その内部にチューナ１１を備え、このＳＴＢ１０はアンテナ１，２によって受信された映像及び音声信号を含むテレビジョン放送信号をチューナ１１に入力して映像及び音声データが多重されているデジタル信号を復調した後、さらにデコーダ１２にて映像及び音声データの復号化を行ってから、モニタ３及びスピーカ４に送出する。ここで、アンテナ１，２は例えばＢＳデジタル放送受信用，地上波デジタル放送受信用のアンテナである。
【００２２】
ＳＴＢ１０は、映像信号記録再生システムにおける本体部を構成するものであり、例えばデジタル放送信号を受信しデジタル復調するチューナ１１と、圧縮符号化された映像及び音声信号を復号化する復調手段としてのＡＶデコーダ１２と、ＡＶデコーダ１２で復号化された映像信号を表示手段であるモニタ３に表示するための映像信号処理を行ったり、グラフィック処理部１５からのグラフィカルユーザインターフェース（以下、ＧＵＩ）表示の信号処理を行う映像処理部１３と、ＡＶデコーダ１２で復号化された音声信号をスピーカ４に出力するための音声信号処理を行う音声処理部１４と、コントロールパネル表示などのＧＵＩ表示を行うグラフィック信号を発生させるグラフィック処理部１５と、ＩＥＥＥ１３９４端子（別名、ｉＬＩＮＫ端子とも呼ばれる）１６ａを有し、ＩＥＥＥ１３９４ケーブル（ｉＬＩＮＫケーブルとも呼ばれる）２０を介して少なくとも１台以上の映像機器（例えば、ＨＤＤ装置２１、Ｄ−ＶＨＳ装置２２、ＨＤＤ装置２３、Ｄ−ＶＨＳ装置２４）をデイジーチェーン接続またはツリー接続し、ＳＴＢ１０の内部のチューナ１１と記録再生データをやり取りすることができる、ＩＥＥＥ１３９４シリアルインターフェースとして機能するＩＥＥＥ１３９４処理部１６と、操作手段であるリモコン５からの赤外線などのリモコン信号を受信するリモコン処理部１７と、リモコン処理部１７で受信処理したリモコン信号による動作指令に基づいてＳＴＢ１０の各回路部及び外部接続された前記映像機器に制御信号を送ってそれぞれの動作に必要な制御を行うマイクロコンピュータ（以下、マイコン）１８と、を備えて構成されている。
【００２３】
ＩＥＥＥ１３９４処理部１６のＩＥＥＥ１３９４端子１６ａには、ｉＬＩＮＫケーブル２０にて少なくとも１台以上の映像機器、即ち、ＨＤＤ装置２１、Ｄ−ＶＨＳ装置２２、ＨＤＤ装置２３、Ｄ−ＶＨＳ装置２４がデイジーチェーン接続またはツリー接続されている。ＨＤＤ装置２１、Ｄ−ＶＨＳ装置２２、ＨＤＤ装置２３、Ｄ−ＶＨＳ装置２４の内部にはそれぞれ、ｉＬＩＮＫ端子２１ａ，２２ａ，２３ａ，２４ａを有した図示しないＩＥＥＥ１３９４シリアルインターフェース（ＩＥＥＥ１３９４処理部）が設けられている。
【００２４】
リモコン５には、電源ボタンのほか、チャンネルアップダウンボタン、ｉＬＩＮＫボタン、決定ボタン、カーソル移動ボタン（又は矢印キー）などが配設されている。
【００２５】
図１に示すように、ＳＴＢ１０にｉＬＩＮＫケーブル２０を介して接続されるＩＥＥＥ１３９４対応機器は、ＳＴＢ１０とＡＶストリームおよびＡＶ／Ｃコマンドをやり取りする。ＡＶストリームはＳＴＢ１０内のチューナ１１とやり取りされ、ＡＶ／ＣコマンドはＳＴＢ１０内のマイコン１８からＩＥＥＥ１３９４対応機器である映像機器に対して伝送される。ＡＶストリームはＭＰＥＧ２−ＴＳフォーマットなどの映像及び音声データであり、ＡＶ／Ｃコマンドは機器の制御を行うための制御データである。ＡＶ／Ｃコマンドで外部接続されている映像機器の動作指示や動作状態の取得などを行うことができる。
【００２６】
映像及び音声データはアイソクロナス（Isochronous）転送モードで、ＡＶ／Ｃコマンドはアシンクロナス（Asynchronous）転送モードでやり取りされる。ＳＴＢ１０がＨＤＤ装置２１，２３の動作状態を知りたい場合は、ＡＶ／ＣコマンドをＳＴＢ１０からＨＤＤ装置２１，２３へ発行することで可能となる。
【００２７】
次に、本発明の実施例１の動作を、図２乃至図７を参照して説明する。 
なお、以下の説明で使用する記録とは、映像信号のほかに音声信号を含めた両方の信号を記録することを意味している。
【００２８】
ユーザがＩＥＥＥ１３９４シリアルインターフェース接続されている現在記録動作をしているＨＤＤ装置２３を操作する場合には、記録中の動作をしている状態において、ユーザの操作は追っかけ再生がしたい場合が多いと予想し、ユーザがコントロールパネル表示を呼び出そうとして、リモコン５の例えば「ｉＬＩＮＫボタン」を操作したときに、コントロールパネル表示を行い且つコントロールパネル表示上に示されるカーソルを「追っかけ再生ボタン」の位置に一気に移動させた状態でモニタ３に表示させる。
【００２９】
すなわち、図２に示すように、実際に追っかけ再生動作を行うかどうかをユーザに決定させるようにするために、ＨＤＤ装置２３が記録中の動作をしている状態においてユーザがリモコンの「ｉＬＩＮＫボタン」を操作したときには、コントロールパネル表示を出すと同時に、コントロールパネル表示上に示されるカーソルを「追っかけ再生ボタン」の位置に一気に移動させた状態（ハッチングにて示す）でモニタ３に表示させる。
【００３０】
図３は図２の説明に係るフローチャートを示している。このフローはマイクロコンピュータ１８の中心とする動作を示している。 
既に図１に示すＳＴＢ１０の電源が投入されており、且つＩＥＥＥ１３９４シリアルインターフェースに接続されているＨＤＤ装置２３が既に記録動作中であるとして説明する。
【００３１】
図３において、ＨＤＤ装置２３が記録動作中の状態において、まず、ユーザがｉＬＩＮＫボタンを押したか否か（即ち、コントロールパネル表示の起動指示をしたか否か）を判定する（ステップＳ1）。次に、記録中の機器について追っかけ再生動作であることが予想されてマイコン１８内のメモリにその予想結果が記憶されているかを調べる（ステップＳ2）。このステップＳ2の詳細な動作については図４で述べる。そして、記憶されているか否かを判定し（ステップＳ3）、記憶されていればステップＳ4へ進み、記憶されていなければ、ステップＳ8へ進む。
【００３２】
ステップＳ4では、制御対象機器の決定を行う（ステップＳ4）。このステップＳ４の詳細な動作については図５で述べる。その後、コントロールパネル上の動作ボタンのカーソル位置の決定を行う（ステップＳ5）。この決定では、図２に示すようにカーソルが追っかけ再生ボタン上に移動した状態となっている。このステップＳ5の詳細な動作については図７で述べる。そしてここで、ユーザが決定ボタンを押すと、追っかけ再生動作を実行し（ステップＳ6）、モニタ３上に追っかけ再生画面を表示すると共にコントロールパネル表示または追っかけ再生中の表示をする（ステップＳ7）。
【００３３】
ステップＳ2，Ｓ3で、追っかけ再生であることが予想されずメモリに記憶されていない場合は、ユーザが最後に操作した機器を制御対象機器に決定し（ステップＳ8）、コントロールパネル表示の動作ボタンをデフォルト（起動時の操作対象）に決定して（ステップＳ9）、コントロールパネルをモニタ３上に表示する（ステップＳ10）。ユーザはこのコントロールパネル表示を参照して動作ボタンを選択操作して実行することができる。
【００３４】
図４は、上記ステップＳ2の詳細な動作例を示している。 
まず、ＩＥＥＥ１３９４シリアルインターフェース接続されている機器の記録動作をしている機器をＡＶ／Ｃコマンドを使用して調べる（ステップＳ11）。そして、追っかけ再生動作をさせるかどうかを予想するステップに入る。
【００３５】
そして、１台以上あるか否かを判定する（ステップＳ12）。記録中の機器が１台以上あれば、追っかけ再生が可能か調べる（ステップＳ13）。例えば、機器が記録再生可能か否かを調べる。これは記録再生が可能な例えばＨＤＤ装置でなければ、追っかけ再生が不可能だからである。
【００３６】
そして、追っかけ再生が可能な機器が１台以上のあるか否かを判定する（ステップＳ14）。１台でも追っかけ再生が可能な機器があれば、機器が追っかけ再生動作であることをマイコン１８内のメモリに記憶する（ステップＳ15）。上記ステップＳ12，Ｓ14で、１台もなければ、追っかけ再生動作でないとマイコン１８内のメモリに記憶する（ステップＳ16）。
【００３７】
図５は、上記ステップＳ4の詳細な動作例を示している。 
まず、追っかけ再生動作であることが記憶されているかメモリを参照することによって調べる動作に入る（ステップＳ41）。そして、複数台あるか否か調べる（ステップＳ42）。
【００３８】
追っかけ再生動作をさせる機器が複数台ある場合は、ステップＳ43に示すように、追っかけ再生動作をさせる機器のリストに登録されている並び順（例えば登録順の一番若い番号の機器）を調べ（ステップＳ43）、自動で追っかけ再生する機器に決定する（ステップＳ44）。即ち、機器リストの並び順など、予め決めておいたルールに従って自動で追っかけ再生機器を決定する。
【００３９】
なお、追っかけ再生動作をさせる機器が複数台ある場合は、ボタン操作待ちの状態とし、ステップＳ43，Ｓ44に代えて、ユーザがリモコンの例えば「ｉＬＩＮＫボタン」を操作したときなどに、図６に示すように、複数台ある追っかけ再生動作させる制御対象機器の候補一覧をモニタ３上に表示させて、ユーザがリモコンのカーソル移動ボタンを操作することによって手動で選択決定するようにしてもよい。
【００４０】
図7は、上記ステップＳ5の詳細な動作例を示している。 
まず、追っかけ再生動作であることが記憶されているかメモリを参照することによって調べる動作に入る（ステップＳ51）。そして、記憶されているか否かを判定する（ステップＳ52）。ステップＳ52で記憶されていれば、モニタ３上に表示されているコントロールパネルの動作ボタンのカーソル位置を追っかけ再生にする（ステップＳ53）。これにより、決定ボタンを押すたけで、追っかけ再生動作が可能となる。
【００４１】
ここで、本発明の実施例１と従来の通常動作例とを比較するために、図８を参照して通常動作例について説明する。
【００４２】
図８では、ユーザがＩＥＥＥ１３９４シリアルインターフェース接続されている機器を操作する場合、図８(a)，(b)に示すように、リモコン５のボタン操作で、コントロールパネル表示を呼び出していた。
【００４３】
ここで、コントロールパネル表示は、制御機器選択フェーズと動作内容選択フェーズの2段階になっており、図８(a)の制御機器選択フェーズでは、ユーザは、操作対象となる機器（図ではｉ．３ ＨＤＤに記録中であることを示す‘・’が付いている）をカーソル移動によって選択し決定する。図８(a)では、制御機器のカーソル位置のデフォルトは一番若い番号の「ｉ．１」であるので、カーソル移動によってｉ．３ ＨＤＤにカーソルを移動させ、リモコンの決定ボタンを押すことになる。
【００４４】
すると、図８(b)に示すように「ｉ．３ ＨＤＤ」の動作内容選択フェーズに移行するので、ユーザはカーソル移動によって動作内容を選択し決定していた。図８(b)では、動作ボタンのカーソル位置のデフォルトは「電源ボタン」であるので、カーソル移動によって「追っかけ再生ボタン」にカーソルを移動させる（図８(c)参照）。
【００４５】
図８(c)の状態から、リモコンの決定ボタンを押すと、「ｉ．３ ＨＤＤ」の追っかけ再生が開始することになる。
【００４６】
このように、従来、通常に行われていた動作では、制御機器選択フェーズから動作内容選択フェーズに移行したときのカーソルの初期位置は固定の位置（図では「電源ボタン」の位置）に決められていた。よって、追っかけ再生などの動作を行う場合において、所望のボタンである「追っかけ再生ボタン」の位置までカーソルを移動させるユーザの操作が必要となり、手順がかかるものとなっていた。
【００４７】
これに対して、本発明の実施例１によれば、所定のインターフェース、例えばＩＥＥＥ１３９４シリアルインターフェースに接続されている機器の動作状態を調べ、ユーザが行いたい動作を予測して、実行に移すことでユーザの操作の手順を簡素にし、使い勝手をよくすることができる。
【実施例２】
【００４８】
実施例２では、ユーザがＩＥＥＥ１３９４シリアルインターフェース接続されている現在記録動作をしているＨＤＤ装置２３を操作する場合には、記録中の動作をしている状態において、ユーザの操作は追っかけ再生がしたい場合が多いと予想し、ユーザがコントロールパネル表示を呼び出そうとして、リモコンの例えば「ｉＬＩＮＫボタン」を操作したときに、先ず、コントロールパネル表示を行うようにし、この状態でユーザがコントロールパネル表示上の制御機器選択フェーズで記録中であることを示す‘・’が表示されている「ｉ．３ ＨＤＤ」（図９(a)参照）にカーソルを移動させ、リモコンの決定ボタンを押すと、前記のコントロールパネル表示上に示されるカーソルが「追っかけ再生ボタン」の位置に一気に移動された状態（図９(b)参照）にモニタ３に表示されるようにする。
【００４９】
図９は本発明の実施例２の映像信号記録再生システムにおけるモニタ画面上のコントロールパネル表示を示している。
【００５０】
図９では、ユーザがＩＥＥＥ１３９４シリアルインターフェース接続されている機器を操作する場合、図９(a)に示すように、リモコン５の「ｉＬＩＮＫボタン」操作で、まず制御機器選択フェーズのコントロールパネル表示を呼び出していた。
【００５１】
コントロールパネル表示は、制御機器選択フェーズと動作内容選択フェーズの2段階になっており、図９(a)の制御機器選択フェーズでは、ユーザは、操作対象となる機器（図ではｉ．３ ＨＤＤに記録中であることを示す‘・’が付いている）をカーソル移動によって選択し決定する。図９(a)では、制御機器のカーソル位置のデフォルトは一番若い番号の「ｉ．１」であるので、カーソル移動によってｉ．３ ＨＤＤにカーソルを移動させ、リモコンの決定ボタンを押すことになる。
【００５２】
すると、図９(b)に示すように「ｉ．３ ＨＤＤ」の動作内容選択フェーズに移行し、且つカーソルが自動的に「追っかけ再生ボタン」に移動されている。
【００５３】
図９(b)の状態から、リモコンの決定ボタンを押すと、「ｉ．３ ＨＤＤ」の追っかけ再生が開始することになる。
【００５４】
このように本発明の実施例２では、実施例１のようにリモコン５の「ｉＬＩＮＫボタン」操作で一挙に動作内容選択フェーズに至るのとは異なり、まず制御機器選択フェーズが表示され、記録中の制御機器を選択操作することで、つぎの動作内容選択フェーズにおける「追っかけ再生」操作の前段階に至るようにしているものである。これでも、従来の図８のと比べれば、図８(b)に示すステップが１つ減少して、操作が簡単になる利点を有する。
【実施例３】
【００５５】
実施例３では、ユーザがＩＥＥＥ１３９４シリアルインターフェース接続されている現在記録動作をしているＨＤＤ装置２３を操作する場合には、記録中の動作をしている状態において、ユーザの操作は追っかけ再生がしたい場合が多いと予想し、ユーザがコントロールパネル表示を呼び出そうとして、リモコンの「ｉＬＩＮＫボタン」を操作したときに、一気に追っかけ再生動作を実行し、追っかけ再生が開始されるようにしたものである。
【００５６】
図１０は本発明の実施例３の映像信号記録再生システムにおけるモニタ画面上の表示を示している。
【００５７】
すなわち、ＨＤＤ装置２３が記録中の動作をしている状態において、ユーザがリモコンの「ｉＬＩＮＫボタン」を操作したときに、コントロールパネル表示を行わないで追っかけ再生の動作だけをさせるようにする。このとき、コントロールパネルが表示されないので、図１０に示すように、追っかけ再生動作をしている状態をユーザに分かるようにするためにモニタ３の画面上に「追っかけ再生中」の表示、或いは同様なアイコンなどの表示をするとよい。
【００５８】
本発明の実施例３によれば、「ｉＬＩＮＫボタン」を操作したときに、コントロールパネル表示を一切することなく、追っかけ再生の動作に一挙に入ることができ、極めて簡単操作を実現することができる。
【００５９】
以上述べたように本発明によれば、追っかけ再生をするかどうかを予想する手段により、ユーザが期待する動作を早く行える。カーソルを所望の動作ボタンに直接移動させる手段により、所望の動作ボタンへの移動が早く行える。現在記録動作している機器を探し出す手段により、追っかけ再生をする機器を自動で決定できる。カーソルを所望の機器に直接移動させる手段により、所望の操作機器への移動が早く行える。
【産業上の利用可能性】
【００６０】
本発明は、所定のインターフェースはＩＥＥＥ１３９４シリアルインターフェースに限定されるものではない。即ち、本体部に対して、少なくとも１つの映像機器がＩＥＥＥ１３９４シリアルインターフェース（ｉＬＩＮＫ）で接続される場合に限らず、インターフェースとして例えばＵＳＢ（ユニバーサルシリアルバス）を用いて映像機器を接続する場合にも応用することが可能である。
【図面の簡単な説明】
【００６１】
【図１】本発明に係る映像信号記録再生システムの構成のブロック図。
【図２】本発明の実施例１の動作を説明するコントロールパネル表示を示す図。
【図３】図２の説明に係るフローチャート。
【図４】上記ステップＳ2の詳細な動作例を示すフローチャート。
【図５】上記ステップＳ4の詳細な動作例を示すフローチャート。
【図６】複数ある制御対象機器の候補から選択するコントロールパネル表示を示す図。
【図７】上記ステップＳ5の詳細な動作例を示すフローチャート。
【図８】従来行われていたコントロールパネル表示による動作例を示すフローチャート。
【図９】本発明の実施例２の映像信号記録再生システムにおけるモニタ画面上のコントロールパネル表示を示す図。
【図１０】本発明の実施例３の映像信号記録再生システムにおけるモニタ画面上の表示を示す図。
【符号の説明】
【００６２】
１，２…アンテナ
３…モニタ（表示手段）
５…リモコン（操作手段）
１０…ＳＴＢ（本体部）
１１…チューナ
１２…ＡＶデコーダ（復調手段）
１６…ＩＥＥＥ１３９４処理部（ＩＥＥＥ１３９４シリアルインターフェース、所定のインターフェース）
１６ａ，２１ａ，２２ａ，２３ａ，２４ａ…ＩＥＥＥ１３９４端子（ｉＬＩＮＫ端子）
１８…マイクロコンピュータ（制御手段）
２１，２２，２３，２４…映像機器（接続機器）
代理人    弁理士      伊    藤      進 
【図１】
2005223532.tif 000003
【図２】
2005223532.tif 000004
【図３】
2005223532.tif 000005
【図４】
2005223532.tif 000006
【図５】
2005223532.tif 000007
【図６】
2005223532.tif 000008
【図７】
2005223532.tif 000009
【図８】
2005223532.tif 000010
【図９】
2005223532.tif 000011
【図１０】
2005223532.tif 000012